(57)【特許請求の範囲】
【請求項１】
１以上のスピーカが接続されたスピーカ回線と、
放送用の信号を出力して上記スピーカ回線に入力する放送信号出力手段と、
この放送信号出力手段の全出力電流を検出し、この検出して得た電流が所定の基準値を超えたとき過電流検出信号を出力する電流検出手段と、
上記放送信号出力手段の出力側と上記スピーカ回線の入力側との間に設けられ、これら両者間を開閉制御信号に従って接続または切断する開閉手段と、
上記電流検出手段が上記過電流検出信号を出力したとき、これを受けて上記開閉制御信号を生成して上記開閉手段に供給する制御手段と、
を具備し、
上記放送信号出力手段に対して上記スピーカ回線を複数並列に設け、
これら各スピーカ回線毎に上記開閉手段をそれぞれ設け、
上記電流検出手段が上記過電流検出信号を出力したとき、上記制御手段が、一旦、上記放送信号出力手段と全ての上記スピーカ回線との間を接続し、この状態で上記放送信号出力手段から上記各スピーカ回線を所定の回線数単位で順次切断するよう上記開閉制御信号を生成して上記各開閉手段に供給すると共に、この過程において上記電流検出手段が上記過電流検出信号を出力するか否かを確認することにより、いずれのスピーカ回線が上記放送信号出力手段に接続されているときに上記電流検出手段が上記過電流検出信号を出力するのかを特定する状態に構成され、
上記制御手段によって上記電流検出手段が過電流検出信号を出力する原因であると特定されたスピーカ回線と、これ以外のスピーカ回線と、のいずれか一方または両方を表す情報を出力する情報出力手段を、更に設けた、
スピーカ回線の短絡検知装置。
【請求項２】
上記開閉手段が、これに対応する操作手段の被操作状態に応じて上記放送信号出力手段と上記スピーカ回線との間を接続または切断するものである請求項１に記載のスピーカ回線の短絡検知装置。
【請求項３】
上記制御手段が、上記電流検出手段が過電流検出信号を出力する原因であると特定したスピーカ回線を無効とし、これ以外のスピーカ回線のみを有効とする状態に構成された、請求項１または２に記載のスピーカ回線の短絡検知装置。
【発明の詳細な説明】
【０００１】
【発明の属する技術分野】
本発明は、例えば業務用放送装置や非常用放送装置等において、スピーカ回線が短絡したときにこれを自動的に検知する短絡検知装置に関し、特に、その短絡したスピーカ回線を放送装置から電気的に切り離す機能を備えたスピーカ回線の短絡検知装置に関する。
【０００２】
【従来の技術】
上記のようにスピーカ回線が短絡したときに、その短絡したスピーカ回線を電気的に切り離す機能を備えた放送装置として、従来、例えば図５に示すようなものがある。同図に示すように、この放送装置は、１以上のスピーカ１が接続されたスピーカ回線２を、複数（Ｍ回線）備えている。これら各スピーカ回線２、２、・・・は、それぞれ、例えば通常（Ｎ）ライン（またはホット（Ｈ）ラインとも言う。）２ａと共通（ＣＯＭ）ライン２ｂとから成る２線式のもので、放送用の信号を増幅して出力するそれぞれに共通のアンプ３の出力側に、並列に接続されている。なお、同図では、便宜上、１つのスピーカ回線２につきスピーカ１を１台のみ記載しているが、通常は、１つのスピーカ回線２につきスピーカ１を複数設けることが多い。
【０００３】
また、各スピーカ回線２、２、・・・をそれぞれ構成する上記各ライン２ａ、２ｂのうちの一方、例えば各通常ライン２ａ、２ａ、・・・には、それぞれ、リレースイッチ回路４、４、・・・が設けられている。これら各リレースイッチ回路４、４、・・・は、各通常ライン２ａ、２ａ、・・・中のアンプ３の出力側近傍に設けられており、ＣＰＵ（中央演算処理装置）５から個別に供給される開閉制御信号に従ってＯＮ／ＯＦＦ動作することにより、各通常ライン２ａ、２ａ、・・・とアンプ３の出力側との間をそれぞれ個別に接続または切断する。
【０００４】
なお、ＣＰＵ５は、例えば、各リレースイッチ回路４、４、・・・にそれぞれ対応する複数の押しボタンキーを備えた操作部６の被操作状態に応じて、上記開閉制御信号を生成する。これと同時に、ＣＰＵ５は、各リレースイッチ回路４、４、・・・の各ＯＮ／ＯＦＦ状態、即ち各スピーカ回線２、２、・・・がそれぞれ有効であるのか無効であるのかを、例えば複数の発光ダイオード（ＬＥＤ）或いは液晶（ＬＣＤ）パネル構成の表示部７により表示する。このＣＰＵ５の動作は、例えばＲＯＭやＲＡＭ等の半導体メモリ構成の記憶部８に記憶されているプログラムに従って制御される。
【０００５】
更に、各通常ライン２ａ、２ａ、・・・中のアンプ３の出力側近傍、例えばアンプ３の出力側と各リレースイッチ回路４、４、・・・との間に、それぞれ、回路保護用のヒューズ９、９、・・・が設けられている。これら各ヒューズ９、９、・・・としては、それぞれが設けられているスピーカ回線２の定格電流に応じた規格（溶断特性）のものが用いられる。
【０００６】
なお、上記アンプ３、各リレースイッチ回路４、４、・・・、ＣＰＵ５、記憶部８及び各ヒューズ９、９、・・・は、例えば図示しない放送装置本体の筐体内に内蔵される。そして、操作部６及び表示部７は、例えば上記筐体の正面部を構成する図示しない操作パネル上に配置される。また、各スピーカ回線２、２、・・・は、例えばこの放送装置を使用する建物内の天井裏や壁裏等を介して配線され、各スピーカ１、１、・・・は、例えば上記建物内の廊下や部屋等の各放送対象エリアに適宜設置される。
【０００７】
この図５の構成によれば、各スピーカ回線２、２、・・・が正常なときには、各リレースイッチ回路４、４、・・・のＯＮ／ＯＦＦ状態に応じて、各スピーカ回線２、２、・・・による放送を実現できる。そして、いずれかのスピーカ回線２に短絡事故が発生し、この状態で、短絡したスピーカ回線２にアンプ３から放送用の信号が入力されると、その短絡したスピーカ回線２に過電流（短絡電流）が流れて、その短絡したスピーカ回線２中に設けられているヒューズ９が溶断する（飛ぶ）。これにより、短絡したスピーカ回線２とアンプ３とが電気的に切り離されて、その短絡したスピーカ回線２及びアンプ３を含む各回路が、上記過電流から保護される。なお、このように一部のスピーカ回線２がアンプ３から切り離されても、他の正常なスピーカ回線２、２、・・・については、引き続きアンプ３と接続可能である。従って、これら正常なスピーカ回線２、２、・・・により、放送を継続できる。
【０００８】
また、上記図５とは別の従来例として、例えば図６に示すようなものもある。同図に示すように、これは、上記図５における各ヒューズ９、９、・・・に代えて、各スピーカ回線２、２、・・・毎に電流センサ１０、１０、・・・を設けたものである。そして、これら各電流センサ１０、１０、・・・によって、各スピーカ回線２、２、・・・にそれぞれ流れる電流を個別に検出し、それらの検出結果をＣＰＵ５に入力する。ＣＰＵ５は、各電流センサ１０、１０、・・・から得られる各検出結果に基づいて（即ち各電流センサ１０、１０、・・・によって検出して得た各電流値の大きさから）、各スピーカ回線２、２、・・・にそれぞれ短絡事故が発生していないかどうかを判断する。そして、いずれかのスピーカ回線２が短絡していると判断すると（即ちいずれかの電流センサ１０によって検出して得た電流値が極端に大きい場合には）、ＣＰＵ５は、操作部６の被操作状態に係わらず、その短絡していると判断したスピーカ回線２のリレースイッチ回路４をＯＦＦする。これにより、短絡した（厳密には短絡していると判断された）スピーカ回線２とアンプ３とが、電気的に切り離される。
【０００９】
【発明が解決しようとする課題】
しかし、上記図５に示す従来技術においては、スピーカ回線２、２、・・・が短絡する度に、その短絡したスピーカ回線２、２、・・・のヒューズ９、９、・・・を交換する必要があり、その作業が面倒であるという問題がある。この問題は、短絡したスピーカ回線２、２、・・・の数が多いほど、顕著になる。また、この短絡事故に備えて、予備のヒューズを用意しておかなければならないという問題もある。
【００１０】
一方、図６に示す従来技術によれば、上記ヒューズ９、９、・・・を交換したり、予備のヒューズを用意しておく必要はない。しかし、各スピーカ回線２、２、・・・毎に、電流センサ１０、１０、・・・を設けなければならないので、各スピーカ回線２、２、・・・毎の構成が複雑化し、かつ高コスト化するという問題がある。この問題も、また、スピーカ回線２、２、・・・の数が多いほど、顕著になる。
【００１１】
そこで、本発明は、各スピーカ回線２、２、・・・毎に上記ヒューズ９、９、・・・や電流センサ１０、１０、・・・等を設けることなく、各スピーカ回線２、２、・・・の短絡事故を検知できる短絡検知装置を提供することを目的とする。
【００１２】
【課題を解決するための手段】
上述した目的を達成するために、本発明は、１以上のスピーカが接続されたスピーカ回線と、
放送用の信号を出力して上記スピーカ回線に入力する放送信号出力手段と、
この放送信号出力手段の例えば出力部分においてこの放送信号出力手段の全出力電流を検出し、この検出して得た電流が所定の基準値を超えたとき過電流検出信号を出力する電流検出手段と、
を具備するものである。
【００１３】
なお、ここで言う上記放送信号出力手段とは、例えば上記アンプ３等のように、本発明の短絡検知装置を備えた放送装置において、スピーカ回線に入力する放送信号を最終的に出力する手段のことを言う。また、上記所定の基準値とは、例えば上記電流検出手段によって検出して得た電流値から、スピーカ回線に、その定格電流を遥かに超える過電流が流れているか否かを判断するための基準となる所謂しきい値のことを言う。この所定の基準値としては、例えば放送信号出力手段の定格出力電流の約３倍乃至５倍程度の値を設定する。
【００１４】
本発明によれば、放送信号出力手段から放送用の信号が出力され、これがスピーカ回線に入力されると、放送信号出力手段からスピーカ回線に電流が流れる。ここで、スピーカ回線が正常なときには、放送信号出力手段の全出力電流、換言すれば電流検出手段によって検出して得られる電流値は、放送信号出力手段の定格出力電流以下となる。よって、この状態においては、電流検出手段は、過電流検出信号を出力しない。一方、スピーカ回線が短絡すると、放送信号出力手段から、その定格出力電流を遥かに超える過電流が、スピーカ回線に流れる。すると、電流検出手段により検出して得られる電流値が、上記所定の基準値を超えて、電流検出手段から過電流検出信号が出力される。即ち、電流検出手段から過電流検出信号が出力されるか否かにより、スピーカ回線が短絡しているか否かを認識できる。
【００１５】
ここで、放送信号出力手段に対して、複数のスピーカ回線が並列に接続されているとする。そして、この状態において、例えば、いずれかのスピーカ回線が短絡したとする。この場合も、放送信号出力手段から短絡したスピーカ回線に対して過電流が流れて、電流検出手段から過電流検出信号が出力される。このように、複数のスピーカ回線を備えている場合でも、１以上のスピーカ回線が短絡すると、各スピーカ回線に共通の電流検出手段から過電流検出信号が出力される。従って、この過電流検出信号が出力されることから、いずれか１以上のスピーカ回線が短絡したことを認識できる。
【００１６】
また、本発明においては、上記放送信号出力手段の出力側と上記スピーカ回線の入力側との間に、これら両者間を開閉制御信号に従って電気的に接続または切断する開閉手段を設け、
上記電流検出手段が上記過電流検出信号を出力したとき、これを受けて上記放送信号出力手段と上記スピーカ回線との間を切断する状態に上記開閉制御信号を生成して上記開閉手段に供給する制御手段を設けてもよい。
【００１７】
このように、開閉手段と、これを上記過電流検出信号に従って制御する制御手段と、を設けることによって、スピーカ回線が短絡したときに、この短絡したスピーカ回線を放送信号出力手段から自動的に切り離すことができる。このようにすれば、スピーカ回線と放送信号出力手段とを含む各回路を、上記過電流から保護できる。
【００１８】
なお、ここで言う開閉手段は、例えばリレー回路等によって構成できる。特に、本発明の短絡検知装置を備えた放送装置が、元々、放送信号出力手段の出力側とスピーカ回線の入力側との間に、上述したリレースイッチ回路４のような手段、即ち操作手段の被操作状態に応じてスピーカ回線の有効及び無効状態を切り換える手段、を備えている場合には、これを上記開閉手段として流用できる。このようにすれば、本発明を実現するために、専用の開閉手段を設ける必要はなくなる。また、この場合、上述したＣＰＵ５のように元々上記リレースイッチ回路４を制御するために設けられている手段を、本発明における制御手段として流用すれば、具体的にはその手段の動作を制御するためのプログラムを書き換えれば、制御手段についても、それ専用のものを設ける必要はなくなる。
【００１９】
更に、放送信号出力手段に対して複数のスピーカ回線を並列に接続する場合には、各スピーカ回線毎に、それぞれ開閉手段を設ける。そして、制御手段については、例えば、上記電流検出手段が過電流検出信号を出力したとき、各開閉手段により放送信号出力手段と全てのスピーカ回線との間を切断するよう構成する（厳密には、このように開閉手段を制御するための開閉制御信号を生成する）。
【００２０】
このように構成すれば、いずれかのスピーカ回線が短絡したとき、全てのスピーカ回線を放送信号出力手段から自動的に切り離すことができ、全てのスピーカ回線と放送信号出力手段とを含む各回路を、上記短絡による過電流から確実に保護できる。
【００２１】
また、上記のように複数のスピーカ回線を設け、これら各スイッチ回線毎に開閉手段を設ける場合には、制御手段について、例えば、電流検出手段が過電流検出信号を出力したとき、各開閉手段により、それぞれ放送信号出力手段に対して各スピーカ回線のうちの一部を接続し残りを切断する状態に、放送信号出力手段に対して各スピーカ回線を所定の順番で順次接続または切断するよう構成してもよい。その際、電流検出手段が上記過電流検出信号を出力するか否かを確認すれば、いずれのスピーカ回線を放送信号出力手段に接続したときに電流検出手段が上記過電流検出信号を出力するのか、即ちいずれのスピーカ回線が短絡しているのかを、特定できる。そして、この制御手段によって短絡していると特定されたスピーカ回線を表す情報を出力する情報出力手段を設ければ、その情報から、いずれのスピーカ回線が短絡したのかを容易に認識できる。
【００２２】
なお、上記情報出力手段については、制御手段によって短絡したと特定されたスピーカ回線を表す情報を出力するのではなく、それ以外のスピーカ回線、即ち正常なスピーカ回線を表す情報を出力するよう構成してもよい。また、これら正常なスピーカ回線、及び短絡したと特定されたスピーカ回線の、両方を表す情報を出力するよう構成してもよい。そして、ここで言う情報は、例えば発光ダイオードや液晶パネル等の表示手段を用いることにより視覚的な形態で出力してもよいし、音声や警報等の聴覚的な形態で出力してもよい。
【００２３】
ここで、上記のように、制御手段により、放送信号出力手段に対して各スピーカ回線を所定の順番で順次接続または切断する具体的な手順として、例えば、次の２つの手順が挙げられる。即ち、第１の手順として、上記電流検出手段が過電流検出信号を出力したとき（即ちいずれかのスピーカ回線が短絡したとき）、一旦、放送信号出力手段と全てのスピーカ回線との間を切断する。そして、この状態で、放送信号出力手段に対して、各スピーカ回線を所定の回線数単位で、例えば１回線ずつ順次接続する。このように、全てのスピーカ回線を１回線ずつ単独で上記放送信号出力手段に接続し、この状態で、上記電流検出手段が過電流検出信号を出力するか否かを確認すれば、全てのスピーカ回線について、それぞれが短絡しているか否かを確実に検査できる。
【００２４】
一方、第２の手順は、上記第１の手順とは逆に、電流検出手段が過電流検出信号を出力したとき、一旦、放送信号出力手段と全てのスピーカ回線との間を接続し、この状態で、放送信号出力手段から、各スピーカ回線を所定の回線数単位で、例えば１回線ずつ順次切断する、というものである。即ち、全てのスピーカ回線を放送信号出力手段に接続することにより、故意に、電流検出手段が過電流検出信号を出力する状態を形成する。そして、放送信号出力手段から各スピーカ回線を１回線ずつ単独で切り離し、その過程で、上記電流検出手段から過電流検出信号が出力されなくなる時点を確認する。このようにすれば、電流検出手段から過電流検出信号が出力されなくなった時点で、放送信号出力手段から切り離されている状態にあるスピーカ回線が、短絡したものであると特定できる。
【００２５】
なお、上記第１の手順に比べて、第２の手順の方が、短絡したスピーカ回線を早期に検出できる場合が多い。ただし、第１の手順によれば、全てのスピーカ回線について、それぞれが短絡しているか否かを確実に検査できるのに対して、第２の手順によれば、複数のスピーカ回線が同時に短絡したときには、これを検出するのが非常に困難である。
【００２６】
そこで、電流検出手段が過電流検出信号を出力したとき、まず最初に、第２の手順に従って各スピーカ回線を検査する。この第２の手順により、短絡したスピーカ回線を検出できた場合には、その旨を表す情報を上記情報出力手段により出力する。そして、第２の手順により、短絡したスピーカ回線を特定できない場合、即ち、複数のスピーカ回線が同時に短絡している場合には、第１の手順に従って、全てのスピーカ回線について、それぞれが短絡しているか否かを検査する。このようにすれば、短絡したスピーカ回線を早期かつ確実に検出できる。
【００２７】
更に、制御手段については、上記のように短絡したスピーカ回線を特定した後、この短絡したスピーカ回線（換言すれば上記電流検出手段が過電流検出信号を出力する原因であると特定したスピーカ回線）を無効とし、これ以外の正常なスピーカ回線のみを有効とするよう構成してもよい。ここで、スピーカ回線を無効にするとは、例えば、上記短絡したスピーカ回線に対応する（詳しくは、この短絡したスピーカ回線と放送信号出力手段との間に設けられている開閉手段に対応する）操作手段による操作を無効とすることを言う。
【００２８】
このように構成すれば、いずれかのスピーカ回線が短絡して、その短絡したスピーカ回線が使用不可能となっても、他の正常なスピーカ回線によって放送を継続できる。
【００２９】
【発明の実施の形態】
本発明に係るスピーカ回線の短絡検知装置の一実施の形態について、図１から図３を参照して説明する。
【００３０】
図１（ａ）に、本実施の形態の短絡検知装置を備えた放送装置の概略構成を示す。同図に示すように、本実施の形態は、ハードウェア的には、上述した図５または図６に示す従来技術の構成において、ヒューズ９、９、・・・または電流センサ１０、１０、・・・を取り外し、アンプ３からＣＰＵ５に対して、後述する過電流検出信号を供給するよう構成したものである。ただし、アンプ３からＣＰＵ５に対して上記過電流検出信号が供給されたときのＣＰＵ５のソフトウェア的な動作については、後述するように、上記各従来技術の場合とは異なる。なお、これ以外の構成については、上記各従来技術と同様であるので、これら同等部分には同一符号を付して、その詳細な説明を省略する。
【００３１】
ところで、本実施の形態におけるアンプ３は、その出力段が、例えば図１（ｂ）に示すように構成されている。同図に示すように、この出力段は、例えばＮＰＮ型のトランジスタ３１と、このトランジスタ３１を駆動するための直流電源回路３２と、この直流電源回路３２の陽極端子と上記トランジスタ３１のコレクタ端子との間に直列に接続された出力トランス（１次側）３３と、直流電源回路３２の陰極端子とトランジスタ３１のエミッタ端子との間に直列に接続された抵抗器、所謂エミッタ抵抗３４と、から成る、一般に知られている低周波電力増幅回路構成のものである。この構成によれば、放送用の信号は、トランジスタ３１のベース端子に入力され、ここで増幅された後、出力トランス３３を介して、各スピーカ回線２、２、・・・に入力される。
【００３２】
そして、本実施の形態におけるアンプ３は、上記過電流検出信号を生成するために、上記エミッタ抵抗３４の両端間の電位差を検出することにより、このエミッタ抵抗３４に流れる電流ＩE を間接的に検出する電流検出回路３５を備えている。この電流検出回路３５は、検出して得た電流値ＩE と予め定めた基準値Ｉ0 とを比較して、上記電流値ＩE が基準値Ｉ0 よりも大きいとき（ＩE ＞Ｉ0 ）、上記過電流検出信号を生成して、ＣＰＵ５に供給する。なお、ここで言う基準値Ｉ0 とは、上記電流検出回路３５によって検出して得た電流値ＩE から、アンプ３の出力電流がその定格値を遥かに超える過電流状態にあるか否かを判断するためのしきい値のことを言う。この基準値としては、例えば、アンプ３の出力電流がその定格値の約３倍乃至５倍になったときの上記電流値ＩE と略同等の値を設定する。
【００３３】
即ち、本実施の形態によれば、リレースイッチ回路４がＯＮされているスピーカ回線２、２、・・・のうち、いずれかが短絡すると、この短絡したスピーカ回線２に対して、アンプ３から、その定格出力電流を遥かに超える過電流が流れる。すると、アンプ３内にある上記電流検出回路３５が、上記過電流検出信号を生成し、これをＣＰＵ５に供給する。よって、ＣＰＵ５は、アンプ３（電流検出回路３５）から上記過電流検出信号が供給されることにより、いずれかのスピーカ回線２が短絡したことを認識できる。
【００３４】
ただし、ＣＰＵ５は、上記過電流検出信号が供給されるだけでは、いずれのスピーカ回線２が断線したのかを特定できない。そこで、ＣＰＵ５は、上記過電流検出信号が供給されると、直ちに、いずれのスピーカ回線２が短絡したのかを特定するために、図２のルーチンに入る。なお、この図２のルーチンに従ってＣＰＵ５を動作させるためのプログラムは、記憶部８に記憶されている。
【００３５】
同図に示すように、ＣＰＵ５は、上記過電流検出信号が供給されると（ステップＳ２のＹＥＳ）、まず、その時点での、各リレースイッチ回路４、４、・・・の各ＯＮ／ＯＦＦ状態、即ち各スピーカ回線２、２、・・・の有効／無効状態を記憶する（ステップＳ４）。そして、一旦、全てのリレースイッチ回路４、４、・・・をＯＦＦして、全てのスピーカ回線２、２、・・・をアンプ３から切り離す（ステップＳ６）。
【００３６】
次に、ＣＰＵ５は、このルーチンの初期設定として、各スピーカ回線２、２、・・・の番号を表すインデックス［ｍ］を「ｍ＝１」とする（ステップＳ８）。この初期設定の後、ＣＰＵ５は、回線番号［ｍ］番のリレースイッチ回路４のみをＯＮして、この回線番号［ｍ］番のスピーカ回線２（以下、このスピーカ回線２を表す符号として上記回線番号［ｍ］を併用する。）のみをアンプ３に接続し（ステップＳ１０）、この状態で、アンプ３から上記過電流検出信号が供給されるか否かを確認する（ステップＳ１２）。ここで、上記過電流検出手段が供給されることを確認した場合（ＹＥＳの場合）、ＣＰＵ５は、現在アンプ３に接続されているスピーカ回線［ｍ］が短絡しているものと判断する。そして、そのスピーカ回線［ｍ］を、短絡回線［Ｘ］として記憶部８に記憶した後（ステップＳ１４）、そのスピーカ回線［ｍ］をアンプ３から切り離す（ステップＳ１６）。一方、上記ステップＳ１２において過電流検出信号を確認できない場合（ＮＯの場合）には、ＣＰＵ５は、現在アンプ３に接続されているスピーカ回線［ｍ］については少なくとも短絡していないものと判断し、上記ステップＳ１４をパスして上記ステップＳ１６に進む。
【００３７】
上記ステップＳ１６において、スピーカ回線［ｍ］をアンプ３から切り離した後、ＣＰＵ５は、残りの全てのスピーカ回線２、２、・・・について、各回線番号［ｍ］順に、上記ステップＳ１０からステップ１６を繰り返す（ステップＳ１８、Ｓ２０）。
【００３８】
全てのスピーカ回線２、２、・・・について、上記ステップＳ１０からステップ１６までの各処理を実行した後、ＣＰＵ５は、上記ステップＳ１４において記憶した短絡回線［Ｘ］を表す情報を、表示部７に表示する（ステップＳ２２）。これと同時に、ＣＰＵ５は、短絡回線［Ｘ］のリレースイッチ回路４をＯＦＦ状態に固定し、これ以降、操作部６による上記短絡回線［Ｘ］のリレースイッチ回路４のＯＮ／ＯＦＦ制御を不能とする（ステップＳ２４）。そして、この短絡回線［Ｘ］を除く他の正常なスピーカ回線２、２、・・・について、上記ステップＳ４における記憶内容に基づいて、それぞれの有効／無効状態を復帰させて（ステップＳ２６）、このルーチンを抜ける。
【００３９】
このように、図２のルーチンによれば、全てのスピーカ回線２、２、・・・について、それぞれ短絡していないかどうかを個別に検査できる。そして、短絡回線［Ｘ］については、その旨を表す情報が表示部７に表示されるので、短絡回線［Ｘ］の回線番号［ｍ］を容易に認識できる。
【００４０】
また、短絡回線［Ｘ］については、無効とされるが、これ以外の正常なスピーカ回線２、２、・・・については、継続して使用できる。従って、一部のスピーカ回線［Ｘ］が短絡しても、他の正常なスピーカ回線２、２、・・・により放送を継続できる。
【００４１】
なお、上記図２のルーチンにおいては、全てのスピーカ回線２、２、・・・をアンプ３から切り離した状態で、各スピーカ回線２、２、・・・をそれぞれ１回線ずつ単独でアンプ３に接続することにより、短絡回線［Ｘ］を特定したが、これとは逆に、全てのスピーカ回線２、２、・・・をアンプ３に接続した状態で、各スピーカ回線２、２、・・・をそれぞれ１回線ずつ単独でアンプ３から切り離すことによっても、上記短絡回線［Ｘ］を特定できる。この手順について、図３を参照して説明する。
【００４２】
即ち、ＣＰＵ５は、上記過電流検出信号が供給されると（ステップＳ３０のＹＥＳ）、まず、その時点での、各リレースイッチ回路４、４、・・・の各ＯＮ／ＯＦＦ状態、即ち各スピーカ回線２、２、・・・の有効／無効状態を記憶する（ステップＳ３２）。そして、一旦、全てのリレースイッチ回路４、４、・・・をＯＮして、全てのスピーカ回線２、２、・・・をアンプ３に接続する（ステップＳ３４）。更に、初期設定として、上記回線番号［ｍ］を「ｍ＝１」に設定する（ステップＳ３６）。
【００４３】
上記初期設定の後、ＣＰＵ５は、回線番号［ｍ］番のリレースイッチ回路４のみをＯＦＦして、そのスピーカ回線［ｍ］のみをアンプ３から切り離す（ステップＳ３８）。そして、この状態で、上記過電流検出信号が非供給となるか否か、即ち過電流が解消されるか否かを確認する（ステップＳ４０）。ここで、上記過電流が解消した場合（ＹＥＳの場合）、ＣＰＵ５は、現在アンプ３に接続されている上記スピーカ回線［ｍ］が短絡しているものと判断して、これを短絡回線［Ｘ］として記憶部８に記憶する（ステップＳ４２）。そして、この短絡回線［Ｘ］を表す情報を、表示部７に表示すると共に（ステップＳ４４）、この短絡回線［Ｘ］のリレースイッチ回路４をＯＦＦ状態に固定し、これ以降、操作部６による上記短絡回線［Ｘ］のリレースイッチ回路４のＯＮ／ＯＦＦ制御を不能とする（ステップＳ４６）。そして、ＣＰＵ５は、上記短絡回線［Ｘ］を除く他の正常なスピーカ回線２、２、・・・について、上記ステップＳ３２における記憶内容に基づいて、それぞれの有効／無効状態を復帰させた後（ステップＳ４８）、このルーチンを抜ける。
【００４４】
一方、上記ステップＳ４０において、過電流が解消されない場合（ＮＯの場合）、ＣＰＵ５は、スピーカ回線［ｍ］をアンプ３に接続し直す（ステップＳ５０）。そして、上記過電流が解消するまで、残りのスピーカ回線２、２、・・・について、それぞれの回線番号［ｍ］順に、上記ステップＳ３８及びＳ４０を実行する（ステップＳ５２、Ｓ５４）。
【００４５】
このように、図３の手順によれば、ＣＰＵ５は、短絡回線［Ｘ］を特定し終えると、直ちに、このルーチンを抜ける。従って、全てのスピーカ回線２、２、・・・についてそれぞれ個別に短絡していないかどうかを検査する上記図２の手順に比べて、短絡回線［Ｘ］を早期に特定できる。
【００４６】
しかし、この図３の手順によれば、複数のスピーカ回線２、２、・・・が同時に短絡したとき、これらを特定できない。そこで、全てのスピーカ回線２、２、・・・をそれぞれ個別にアンプ３から切り離しても上記過電流が解消されない場合（即ちステップＳ５２においてＹＥＳの場合）には、ＣＰＵ５は、回線個別検査処理（ステップＳ５６）を実行し、具体的には図４の手順に従って動作する。
【００４７】
同図に示すように、この回線個別処理（ステップＳ５６）は、上記図２におけるステップＳ６からステップＳ２０までの処理と全く同様であり、即ち、ＣＰＵ５は、まず、全てのリレースイッチ回路４、４、・・・を一旦ＯＦＦして、全てのスピーカ回線２、２、・・・をアンプ３から切り離す（ステップＳ６０）。そして、この回線個別処理における初期設定として、回線番号［ｍ］を「ｍ＝１」とする（ステップＳ６２）。
【００４８】
そして、スピーカ回線［ｍ］のみをアンプ３に接続し（ステップＳ６４）、この状態で、アンプ３から過電流検出信号が供給されるか否かを確認する（ステップＳ６６）。ここで、過電流検出手段が供給されることを確認した場合（ＹＥＳの場合）、ＣＰＵ５は、上記スピーカ回線［ｍ］を短絡回線［Ｘ］として記憶部８に記憶し（ステップＳ６８）、その後、スピーカ回線［ｍ］をアンプ３から切り離す（ステップＳ７０）。一方、上記ステップＳ６６において過電流検出信号が供給されない場合（ＮＯの場合）には、ＣＰＵ５は、上記ステップＳ６６をパスしてステップＳ７０に進む。そして、ＣＰＵ５は、残りの全てのスピーカ回線２、２、・・・について、各回線番号［ｍ］順に、上記ステップＳ６４からステップ７０を繰り返す（ステップＳ７２、Ｓ７４）。全てのスピーカ回線２、２、・・・について、上記ステップＳ６４からステップ７０までの各処理を実行し終えると、ＣＰＵ５は、上記ステップＳ４４に進み、この一連の回線個別処理を終了する。
【００４９】
このようにすれば、複数のスピーカ回線２、２、・・・が短絡した場合でも、各短絡回線［Ｘ］を確実に特定できる。勿論、短絡回線［Ｘ］が１回線のみである場合には、ＣＰＵ５は上記回線個別処理（ステップＳ５６）を実行しないので、上記のように図２の場合よりも早期に短絡回線［Ｘ］を特定できる。
【００５０】
なお、上記回線個別処理（ステップＳ５６）を除き、ＣＰＵ５が上記図３の手順を実行している最中は（厳密には、ＣＰＵ５が図３のルーチンに入りステップＳ４６に到達するまでの間は）、上記過電流が流れ続ける。しかし、この図３の手順による短絡回線［Ｘ］の特定作業は、瞬時に実行される（換言すれば、ＣＰＵ５がこの図３のルーチンに入ってこのルーチンを抜けるまでの時間は極めて短時間である）ので、各スピーカ回線２、２、・・・及びアンプ３を含む各回路に対する上記過電流の影響は皆無である。
【００５１】
このように、本実施の形態によれば、上述した図５及び図６に示す各従来技術とは異なり、各スピーカ回線２、２、・・・毎に、それぞれヒューズ９、９、・・・や電流センサ１０、１０、・・・を設けることなく、各スピーカ回線２、２、・・・の短絡を検知できる。従って、各スピーカ回線２、２、・・・毎の構成を簡素化でき、かつ低コスト化できる。
【００５２】
また、一般に、スピーカ回線の短絡を検査するのに検査用の信号を用いる技術が知られているが、本発明においては、アンプ３から出力される放送用の信号を、上記検査用の信号として流用している。従って、検査用の信号を生成するための手段を、特別に設ける必要もない。
【００５３】
なお、本実施の形態における各リレースイッチ回路４、４、・・・が、特許請求の範囲に記載の開閉手段に対応する。この開閉手段については、リレースイッチ回路４、４、・・・以外のものによって構成してもよいが、本実施の形態のように、各リレースイッチ回路４、４、・・・を流用すれば、開閉手段としてそれ専用のものを設ける必要はない。
【００５４】
また、本実施の形態におけるＣＰＵ５が、特許請求の範囲に記載の制御手段に対応する。勿論、このＣＰＵ５に限らず、例えば、所謂純粋なハードウェア構成によっても、上記制御手段を構成できる。
【００５５】
そして、表示部７が、特許請求の範囲に記載の情報出力手段に対応する。なお、この情報出力手段は、表示部７に限らず、例えば、上記短絡回線［Ｘ］を表す情報を音声等の聴覚的な形態で出力する手段によっても構成できる。
【００５６】
本実施の形態では、複数のスピーカ回線２、２、・・・を備えた放送装置について説明したが、スピーカ回線２を１回線のみ有する放送装置についても、本発明を応用できる。また、２線式のスピーカ回線２、２、・・・に限らず、３線式のものにも、本発明を応用できる。
【００５７】
更に、アンプ３の出力電流を検出する回路として、図１（ｂ）に示すものを例に挙げたが、これ以外の回路構成により、アンプ３の出力電流を検出してもよい。
【００５８】
そして、短絡回線［Ｘ］を特定するために、図２または図３に示す手順に従ってＣＰＵ５を動作させたが、これに限らない。即ち、本実施の形態と同様の作用及び効果を奏するのであれば、上記図２または図３以外の手順に従って、ＣＰＵ５を動作させてもよい。例えば、上記図２または図３の手順では、アンプ３に対して各スピーカ回線２、２、・・・をそれぞれ１回線ずつ接続または切断したが、２回線以上の複数回線ずつ接続または切断してもよい。また、短絡回線［Ｘ］を特定したとき、この短絡回線［Ｘ］を表す情報を表示部７に表示したが、これとは逆に、正常なスピーカ回線２、２、・・・を表す情報を表示したり、或いは、これら両者を表す情報を表示してもよい。
【００５９】
【発明の効果】
以上のように、本発明によれば、複数のスピーカ回線を備えている場合でも、各スピーカ回線に共通の１つの電流検出手段により、各スピーカ回線が断線したか否かを認識できる。従って、上述した従来技術とは異なり、各スピーカ回線毎に、ヒューズ９、９、・・・や電流センサ１０、１０、・・・等を設ける必要がない。よって、ヒューズ交換作業や予備のヒューズを用意しておく必要がなく、また、各スピーカ回線毎の構成を簡素化でき、かつ低コスト化できるという効果がある。この効果は、スピーカ回線数が多いほど、顕著になる。
【図面の簡単な説明】
【図１】本発明に係るスピーカ回線の短絡検知装置の一実施の形態を示す図で、（ａ）は、この短絡検知装置を備えた放送装置の概略構成図、（ｂ）は、アンプ内の一部分を示す電気回路図である。
【図２】本実施の形態におけるＣＰＵの動作の一例を示すフローチャートである。
【図３】図２とは別の手順によりＣＰＵを動作させるためのフローチャートである。
【図４】図３における一部分を詳細を示すフローチャートである。
【図５】従来技術の一例を示す概略構成図である。
【図６】図５とは別の従来例を示す概略構成図である。
【符号の説明】
１  スピーカ
２  スピーカ回線
３  アンプ
４  リレースイッチ回路
５  ＣＰＵ
３５  電流検出回路
【図１】
0003715838.tif 000002
【図２】
0003715838.tif 000003
【図３】
0003715838.tif 000004
【図４】
0003715838.tif 000005
【図５】
0003715838.tif 000006
【図６】
0003715838.tif 000007